(57)【要約】【課題】  本発明は、上記の課題に鑑み、洗濯物の洗浄を良好に保ちつつ、ゴワゴワした感じが緩和されるドラム式洗濯乾燥機を提供することを目的とする。【解決手段】  本発明は、回転軸心線が水平または傾斜に置かれた回転ドラムと、前記回転軸心線に方向に延び、前記回転ドラムの内側に突き出すように存在する複数のリフターと、前記回転ドラムを内置し、洗濯水を溜める外槽と、前記回転ドラムを回転駆動する電動機と、前記電動機の回転数を制御する回転制御手段と、前記外槽に溜まる洗濯水を加熱する加熱ヒータと、洗濯水の温度を検知する温度センサーを有し、前記温度センサーの洗濯水検知温度が３０℃〜４０℃のときは、前記回転ドラムの回転数を３０rpm〜４０rpmもしくは５０rpm〜６０rpmになるように前記回転制御手段で前記電動機の運転を制御することを特徴とする。【選択図】図２
2009082258.tif 000002
【特許請求の範囲】
【請求項１】
回転軸心線が水平または傾斜に置かれた回転ドラムと、
前記回転軸心線に方向に延び、前記回転ドラムの内側に突き出すように存在する複数のリフターと、
前記回転ドラムを内置し、洗濯水を溜める外槽と、
前記回転ドラムを回転駆動する電動機と、
前記電動機の回転数を制御する回転制御手段と、
前記外槽に溜まる洗濯水を加熱する加熱ヒータと、
洗濯水の温度を検知する温度センサーを有し、
前記温度センサーの洗濯水検知温度が３０℃〜４０℃のときは、前記回転ドラムの回転数を３０rpm〜４０rpmもしくは５０rpm〜６０rpmになるように前記回転制御手段で前記電動機の運転を制御することを特徴とするドラム式洗濯乾燥機。
【請求項２】
回転軸心線が水平または傾斜に置かれた回転ドラムと、
前記回転軸心線に方向に延び、前記回転ドラムの内側に突き出すように存在する複数のリフターと、
前記回転ドラムを内置し、洗濯水を溜める外槽と、
前記回転ドラムを回転駆動する電動機と、
前記電動機の回転数を制御する回転制御手段と、
前記外槽に溜まる洗濯水を加熱する加熱ヒータと、
洗濯水の温度を検知する温度センサーを有し、
前記温度センサーの洗濯水検知温度が３０℃〜４０℃に満たない常温のときは、前記回転ドラムの回転数を４０rpm〜５０rpmになるように前記回転制御手段で前記電動機の運転を制御することを特徴とするドラム式洗濯乾燥機。
【請求項３】
請求項１または２記載のドラム式洗濯乾燥機において、
前記回転ドラムの直径が５００mm〜６００mmであることを特徴とするドラム式洗濯乾燥機。
【発明の詳細な説明】
【技術分野】
【０００１】
本発明は、回転軸心線が水平または傾斜に置かれた回転ドラムと、前記回転軸心線に方向に延び、前記回転ドラムの内側に突き出すように存在する複数のリフターと、前記回転ドラムを内置し、洗濯水を溜める外槽と、前記回転ドラムを回転駆動する電動機と、前記外槽に溜まる洗濯水を加熱する加熱ヒータを有するドラム式洗濯乾燥機に関する。
【背景技術】
【０００２】
上記の構成を備えたドラム式洗濯乾燥機は、例えば、特開２００５−６７６７号公報（特許文献１）に示されている。
【０００３】
【特許文献１】特開２００５−６７６７号公報
【発明の開示】
【発明が解決しようとする課題】
【０００４】
上記特許文献１に示されるドラム式洗濯乾燥機は、リフターで掻き揚げられて洗濯物が落下して回転ドラムの内底面に叩きつける叩き洗いになるので、ゴワゴワした感じが洗濯物の洗濯仕上がりに残る嫌いがある。
【０００５】
叩き洗いを緩和すると、ゴワゴワした感じは薄れるが洗濯物の洗浄が悪くなる。
【０００６】
本発明は、上記の課題に鑑み、洗濯物の洗浄を良好に保ちつつ、ゴワゴワした感じが緩和されるドラム式洗濯乾燥機を提供することを目的とする。
【課題を解決するための手段】
【０００７】
本発明は、回転軸心線が水平または傾斜に置かれた回転ドラムと、前記回転軸心線に方向に延び、前記回転ドラムの内側に突き出すように存在する複数のリフターと、前記回転ドラムを内置し、洗濯水を溜める外槽と、前記回転ドラムを回転駆動する電動機と、前記電動機の回転数を制御する回転制御手段と、前記外槽に溜まる洗濯水を加熱する加熱ヒータと、洗濯水の温度を検知する温度センサーを有し、前記温度センサーの洗濯水検知温度が３０℃〜４０℃のときは、前記回転ドラムの回転数を３０rpm〜４０rpmもしくは５０rpm〜６０rpmになるように前記回転制御手段で前記電動機の運転を制御することを特徴とする。
【発明の効果】
【０００８】
本発明によれば、洗濯物の洗浄を下げることなく、ゴワゴワした感じが緩和されるドラム式洗濯機を提供できる。
【発明を実施するための最良の形態】
【０００９】
本発明の実施例を図面に沿って説明する前に、本発明の概要を説明する。
【００１０】
ドラム式洗濯機は、洗いからすすぎ、最終脱水に至る洗濯コース終了後、洗濯物を天日に干すと、特にタオル糸の衣類は肌さわりにゴワゴワした感じが生じて来る。これは、ドラム式洗濯機の欠点でもある特徴である。
【００１１】
ドラム式洗濯機は、洗い時，すすぎ時に叩き洗いする洗濯方式のため、特に常温水（非加熱水）で洗濯する場合、回転ドラム内の洗濯物が最大高さに達したときに落下させるように回転ドラムの回転数を設定している。
【００１２】
この回転数は、回転ドラムの径が（５００〜６００）mmの場合に、（４０〜５０）rpmが一般的である。洗濯物が回転ドラムの最大高さから位置から落下させることにより、叩き洗いに洗濯力が大きくなり、洗濯物の汚れを洗い落とすのである。
【００１３】
洗濯水温を常温水から（３０〜４０）℃位にして洗濯すれば、水温の効果により洗濯物へ洗剤の効果である界面活性作用効果、すなわち、浸透，乳化，分散作用の活性化が顕著に進み、洗濯物に付着する汚れを良く落とす洗浄効果が大幅に向上させることができる。
【００１４】
そこで、洗濯水温を（３０〜４０）℃とした場合、回転ドラムの回転速度を（３０〜４０）rpmもしくは（５０〜６０）rpmにし、洗濯物の落下高さを低くすることにより、洗浄の機械力を低減することにより、常温水と同等の洗浄力を維持しつつ、ゴワゴワ感の少ない洗濯仕上りの良好なる洗濯ができる。
【００１５】
以下に本発明の実施例を添付図面に基づいて説明する。
【００１６】
まず、図１，図２を沿ってドラム式洗濯乾燥機の概要を述べる。ここでは、ドラム式洗濯乾燥機を挙げて説明するが、本発明のドラム式洗濯乾燥機は、乾燥機能を停止すると洗濯機になるので、ドラム式洗濯機を含む。
【００１７】
樹脂成形品で形成されたベース１は、外枠２を載置する。外枠２は鋼板と樹脂成形品を組み合わせて作られている。
【００１８】
外枠２の正面には、洗濯物を出し入れするドア３が設けられ、押しボタンスイッチ４の操作により、ドア３の開閉が行われる。
【００１９】
外枠２の側面には、排水ホース固定用穴５が設けられている。洗濯機本体を持ち運び移動するための複数個の取っ手６が設けられている。また、外枠２の上面部には洗剤トレー７、乾燥用フィルタ８が中央の表示部１０や操作部９に対し、左右に取り付けられている。
【００２０】
また、ベース１の側面部からは排水ホース１１が引き出されており、底部にはゴムを付けた脚部１２が取り付け配置されている。
【００２１】
外枠２の正面左側の下部には、洗濯機から発生する糸屑を捕集する糸屑フィルタ１３が取り外し自在に付いている。
【００２２】
図２に示すように、外枠２の内側には外槽２０が備わる。外槽２０の下部にはサスペンション２９により支持され、上部は前後に配置された引きバネ３４により支持されている。
【００２３】
サスペンション２９は、外槽２０の全重量を支持するものであり、強固な構成に出来ている。また、脱水運転時に生じる外槽２０の上下振動を吸収し、脱水始動時の外槽２０の共振による異常振動を防止するための減衰機構などが設けられている。
【００２４】
また、外槽２０の上部から支持している引きバネ３４は外槽２０の前後方向の倒れ防止を兼ねた支持や脱水時の前後，上下，左右振動を低減するために設けられている。
【００２５】
洗いやすすぎ時には、水道の蛇口に接続された給水ホース１５，給水電磁弁１６，洗剤投入ケース１８を経由して洗いやすすぎに必要な水が供給される。給水電磁弁１６の開閉操作により、給水の供給／停止が行われる。
【００２６】
供給された水は、外槽２０の底部に、洗濯水として、またすすぎ水として溜められる。
【００２７】
洗剤投入ケース１８は、洗い時に必要な洗剤を投入し、すすぎ時には仕上がりを良くするための柔軟仕上げ剤を投入する。
【００２８】
洗い時には、注水ホース１７から供給された水が洗剤投入ケース１８の洗剤を溶かしながら外槽２０の上部からフレキシブルホース１９を介して投入される。
【００２９】
外槽２０の内側にある回転ドラム２１にはドア３を開けた投入された洗濯物２３があり、回転ドラム２１の開口部の外周には脱水時の洗濯物２３によるアンバランスによる振動を低減するための流体バランサー３０が設けられている。
【００３０】
回転ドラム２１の内側には、脱水時に高速回転で洗濯物２３に含まれている水分を脱水するための脱水穴２２が全周に複数個設けられている。また、回転ドラム２１の内側には、洗濯時に洗濯物２３を掻き揚げられるようにするため複数個のリフター２７が設けられている。
【００３１】
回転ドラム２１は、回転ドラム用金属製フランジ２４に連結された主軸２５を介してドラム駆動用モータ２６に直結されている。ドラム駆動用モータ２６は、外槽２０に固定された金属性フランジ２４に取り付けられている。
【００３２】
本実施例の場合、ドラム駆動用モータ２６は磁石埋め込み形のインナーロータでステータは集中巻の巻線を有するＤＣブラシレスモータを使用している。
【００３３】
外槽２０の開口部には弾性体からなるゴム系のベローズ３１が取り付けられている。
【００３４】
ドア３は、内側が耐熱ガラス製扉３２により構成されており、ベローズ３１と耐熱ガラス製扉３２により外槽２０内との水密性を維持する役割をしている。これにより、洗い、すすぎ及び脱水時の水漏れの防止が図られる。
【００３５】
洗いやすすぎが終了して不要になった水や脱水時に洗濯物２３から脱水された水は、排水弁２８を開放して排水ホース１１から機外に排水される。
【００３６】
また、外槽２０の底部には、洗濯中、洗濯水３７の水温を（３０〜４０）℃に上昇させるためのシーズヒータ３５が設けられている。洗濯水３７の水温は温度センサー３６により検出し規定の水温となるようにシーズヒータ３５にリード線３５ａより通電する。
【００３７】
洗濯水３７は、洗濯時約２５℃であり、常温水（２０℃）の場合、約（３０〜４０）℃上昇させるには、シーズヒータ３５（加熱ヒータ）の熱量が１０００Ｗの場合、約（１７〜３７）分程度で上昇する。
【００３８】
ドラム洗濯乾燥機の運転工程について、図３に示すドラム洗濯乾燥機の運転工程ブロック図に説明する。
【００３９】
この運転工程は、洗濯物２３に付着した汚れ落としをしたり、また、すすぎによる洗剤分をすすいだり、又洗濯物２３にふくまれた水分を回転ドラム２１の高速回転による遠心力で脱水したり、それらの水分を排出することなどの一連の工程を自動的に行う一般的な自動洗濯コースがこのブロック図に示されている。
【００４０】
以下、ブロック図をもとに各工程の説明をする。
【００４１】
排水弁２８が閉じた後に給水電磁弁１６の操作により給水工程５０が行われる。洗い工程５１は、洗濯に必要な水が外槽２０内に供給されるとドラム駆動用モータ２６が回転し、回転ドラム２１の回転が行われる。
【００４２】
このときの回転ドラムの回転数は、毎分４０〜５０回転で、休止をおいて右回転，左回転を数分づつ行うことにより、洗濯物２３が回転ドラム２１内のリフター２７により掻き揚げられながら叩き洗いにより洗濯される。
【００４３】
洗い工程５１が終了すると、洗いにより洗濯物２３に付着していた汚れが除去され、汚れた洗濯水を洗濯機外に排出する排水工程５２へ移行する。
【００４４】
排水が終了した後、洗濯物２３に含まれている洗剤分を脱水する脱水工程５３へ移行する。脱水工程５３では、回転ドラム２１を高速回転して洗濯物２３を遠心力により回転ドラム２１の内壁に設けられた複数個の脱水穴２２より脱水される。このときの回転数は、毎分８００から１５００回転としている。
【００４５】
脱水工程５３が終了すると、洗濯物２３にふくまれる洗剤分をすすぐ、すすぎ工程５４へ移行する。すすぎ工程５４に入る前に、洗い工程と同じように清水を供給する給水工程５０にて必要な清水が外槽２０内に供給される。
【００４６】
すすぎに必要な清水は本実施例では洗いと同じく２５〜３０リットルの給水が行われる。
【００４７】
規定量の清水が給水されると、すすぎ工程５４に自動的に進行し、洗い工程と同じように回転ドラム２１が低速回転（毎分４５回転前後）しながら洗濯物２３に含まれた洗剤分を除去する。
【００４８】
本実施例では、すすぎは２回となっているが、すすぎ工程５４の回数は２〜３となっているものもある。すすぎ工程５４が終了後、排水が行われ、洗濯物２３に含まれる水分を充分に脱水するため最終脱水工程５５に移行する。
【００４９】
最終脱水工程５５の脱水時間は、一般的に５分以上で、回転ドラム２１を高速回転させ、洗濯物２３の水分を遠心力で除去そるものである。この時の脱水率は６０〜６５％となる。
【００５０】
ドラム式洗濯乾燥機を駆動する回路について、図４に沿って説明する。
【００５１】
ＡＣ１００Ｖの商用電源６０は、コンセント６０を介して電源スイッチと並列に配置されたヒューズ６３を通じてフィルタ回路６４に接続される。
【００５２】
フィルタ回路６４の後方からは各種電気部品及び整流回路６５に直接電源を供給している。
【００５３】
整流回路には、低圧の直流電源を供給するためのスイッチング電源６５，インバータ駆動回路６７が接続される。インバータ駆動回路６７は、ドラム駆動用電動機２６に設けられている回転位置センサー７１の信号によりインバータ駆動回路６７を制御してドラム駆動用電動機２６を回転させている。
【００５４】
ドラム式洗濯乾燥機全体の制御はマイコン７２により行われる。
【００５５】
マイコン７２，インバータ駆動回路６７，回転位置センサー７１等を含めてドラム駆動用電動機２６の回転制御手段１００と云う。
【００５６】
商用電源６０で直接駆動される電気部品としては給水電磁弁１６，排水弁２８，メイン給水用切替え弁１６があり、各々に直列に接続されたリレー接点７３Ａ，７３Ｂ、リレー巻線７４Ａ，７４Ｂに流れる電流をマイコン７２により制御して動作させる。
【００５７】
駆動用電圧はスイッチング電源６６から共通電圧のＤＣ２４Ｖを使用することによりスイッチング電源６６の回路構成の簡素化ができる。
【００５８】
また、マイコン７２には操作部９，表示部１０及び温度センサー３６（図２に図示）が接続されている。この温度センサー３６は外槽２０に溜まる洗濯水の水温を検知する。
【００５９】
マイコン７２を含む回転制御手段１００は、シーズヒータ３５（加熱ヒータ）により、外槽２０に溜まる洗濯水の水温が３０℃〜４０℃程度に加熱されてときには、回転ドラム２１を３０rpm〜４０rpmもしくは５０rpm〜６０rpm程度になるように運転制御する。
【００６０】
洗濯水の水温が３０℃〜４０℃に満たない常温（２０℃）のときは、回転制御手段１００は回転ドラム２１を４０〜５０rpm程度のなるように運転制御する。
【００６１】
回転ドラムの叩き洗いについて、図５，図６，図７を引用して説明する。
【００６２】
図の順番に従って説明する。
【００６３】
図５は通常の洗濯をしている叩き洗いを示している。
【００６４】
回転ドラム２１の内径ΦＤは、（５００〜６００）mmで、回転数は（４０〜５０）rpmである。
【００６５】
回転軸心線が水平または傾斜に置かれた回転ドラムでの洗濯は、洗濯物２３に付着する汚れを落すために少しでも大きな機械力を洗濯物２３に与えるよう洗濯物２３が回転ドラム２１の最高位置に達したＨ１のときに落下するように回転ドラム２１の回転数を設定している。このとき、Ｈ１とＤはほぼ等しく落下高さが最大となる。落下位置については垂直中心軸に対して、回転方向の手前側から落下するときの落下高さが最大となる。この位置より手前でも後でも落下高さは低くなる。すなわち、手前の時は回転数が最大位置の時に比較して高いとき、後のときは最大位置に比較して低いときである。
【００６６】
図６は、温水での洗濯例１である。
【００６７】
洗濯水が常温水（２０℃）から（３０〜４０）℃と、洗濯中にシーズヒータ３５で１７分〜３５分かけて温水に暖められ、水温が規定の温度に達したことを温度センサー３６で検知すると、回転ドラム２１は回転速度Ｎを（５０〜６０）rpmの高速で回す。
【００６８】
回転ドラム２１の内径ΦＤが同じで、回転速度Ｎが図５の場合に比べ、（１０〜２０）rpm程度アップしているので、洗濯物２３の遠心力が大きくなり、ドラム径ΦＤの最高位置を過ぎた高さＨ２から洗濯物２３は落下する。
【００６９】
この場合、落下高さＨ２は、Ｈ１より低いため洗濯物２３が受ける叩き洗いの機械力は低下する。しかし、洗濯水温が高いので、温水効果により汚れ落すことができる。これにより、叩き洗いの機械力を緩和と、通常の洗浄力の維持を一緒に実現できるのである。
【００７０】
図７は、温水での洗濯例２である。
【００７１】
図６の場合と同様に、洗濯水に温水を使う。但し、回転ドラム２１の回転数Ｎを（３０〜４０）にする。回転ドラム２１の遠心力が低下し、リフター２７による洗濯物２３の掻き揚げ高さＨ３はＨ１より低くなり、洗濯物２３に与えられる機械力が低下するが洗濯物に付着した汚れは温水効果により落ちる。これにより、叩き洗いの機械力を緩和と、通常の洗浄力の維持を一緒に実現できるのである。
【００７２】
このように、洗濯水として温水を使い、回転ドラム２１の回転数を常温水の場合に比べ、高くするか、低くすることにより、叩き洗いの機械力を緩和と、通常の洗浄力の維持を一緒に実現でき、洗濯仕上がりのゴワゴワ感を緩和させることができる。
【００７３】
回転ドラムの回転数と落下高さとの関係について、図８を引用して述べる。
【００７４】
回転ドラム２１のΦは（５００〜６００）mmである。回転ドラム２１の回転数が（４０〜５０）rpmの範囲が最大の落下高さになる。実際にはリフター２７の高さ、位置により異なる。
【００７５】
回転ドラムの回転数と洗浄力との関係について、図９を引用して述べる。
【００７６】
回転ドラム２１のΦは（５００〜６００）mm、洗濯水の水温は常温（２０℃）である。回転ドラム２１の回転数が（４０〜５０）rpmの範囲が最大の落下高さになる。
【００７７】
回転ドラムの回転数と布傷みとの関係について、図１０を引用して述べる。
【００７８】
回転ドラム２１のΦは（５００〜６００）mm、洗濯水の水温は常温（２０℃）である。叩き洗い効果により洗浄が向上するに比例して洗濯物の傷みが大きくなる。
【００７９】
洗濯物の傷み指数と洗濯物の毛羽立ちやゴワゴワ感の肌ざわりは比例している。すなわち、叩き洗いにより、洗浄力を上げれば、布傷みや毛羽立ち、またゴワゴワ感も大きくなる。
【００８０】
洗濯物の肌ざわり試験について図１１を引用して説明する。
【００８１】
この図は、洗濯からすすぎ脱水した洗濯物を天日干し下後に洗濯物２３の肌ざわりを５段階官能試験した結果を示す。
【００８２】
官能試験では、一般的にレベル４以下となれば受け入れられるものである。回転ドラム２１の回転にともない洗濯物２３が回転ドラム２１内の落下高さと、洗濯物２３の天日干し後のゴワゴワ感による官能試験では回転ドラムの径ΦＤが（５００〜６００）mmの場合、落下高さを４００mm以下とすれば改善される。
【００８３】
しかし、落下高さを４００mm以下とすれば、叩き洗いによる機械力が低下し洗浄力が低下する。
【００８４】
最後に図１２に基づいて説明する。
【００８５】
この図は、洗濯物の落下高と洗浄力指数との関係を洗濯水の温度の観点から検討した内容を示す。
【００８６】
回転ドラム２１の径ΦＤは、（５００〜６００）mmである。常温の場合は、落下高さが６００mm付近からの落下による機械力が大きく、叩き洗いの効果が増して洗浄力が最大になる。
【００８７】
水温を（３０〜４０）℃と上昇させることにより、落下高さを低くしても洗浄力は向上するので、落下高さを４００〜５００mmとしても常温水での洗浄力より高い性能を得ることができる。
【００８８】
すなわち、外槽２０にシーズヒータ３５を設け、温度センサー３６の制御により洗濯水の水温を（３０〜４０）℃にし、回転ドラム２１の回転数を（３０〜４０）rpmもしくは（５０〜６０）rpmに制御運転することにより、洗浄力を落さずに、叩き洗いの機械力を低下させ、ゴワゴワ感が緩和された洗濯仕上りの良好な洗濯機を提供できる。
【００８９】
なお、本発明は落下高さが最大となる回転数に対して洗浄水の水温を上げることにより洗浄率が増加するがこの増加分に相当する洗浄率を回転ドラム２１の回転数を増減することにより落下高さを低くして機械力を低減して洗濯物２３の洗浄率を落とさずゴワゴワ感を低減したものである。
【図面の簡単な説明】
【００９０】
【図１】本発明の実施例に係わるもので、ドラム式洗濯機の外観斜視図である。
【図２】本発明の実施例に係わるもので、ドラム式洗濯機の縦断面図である。
【図３】本発明の実施例に係わるもので、ドラム式洗濯機の運転工程をブロックで示す運転工程ブロック図である。
【図４】本発明の実施例に係わるもので、ドラム式洗濯機の駆動回路図である。
【図５】本発明の実施例に係わるもので、回転ドラムの回転に伴う洗濯物の叩き洗いの状態を示す図（その１）。
【図６】本発明の実施例に係わるもので、回転ドラムの回転に伴う洗濯物の叩き洗いの状態を示す図（その２）。
【図７】本発明の実施例に係わるもので、回転ドラムの回転に伴う洗濯物の叩き洗いの状態を示す図（その３）。
【図８】本発明の実施例に係わるもので、回転ドラムの回転数と洗濯物の落下高さとの関係をグラフで示した図である。
【図９】本発明の実施例に係わるもので、回転ドラムの回転数と洗浄力指数との関係をグラフで示した図である。
【図１０】本発明の実施例に係わるもので、回転ドラムの回転数と布傷み指数との関係をグラフで示した図である。
【図１１】本発明の実施例に係わるもので、洗濯物の落下高と洗濯物の官能レベル（仕上がりごわごわ感）との関係をグラフで示した図である。
【図１２】本発明の実施例に係わるもので、洗濯物の落下高と洗浄力指数との関係を洗濯水の温度を変えて示して図である。
【符号の説明】
【００９１】
２０  外槽
２１  回転ドラム
２７  リフター
３５  シーズヒータ（加熱ヒータ）
３６  温度センサー
３７  電動機
１００  回転制御手段
【図１】
2009082258.tif 000003
【図２】
2009082258.tif 000004
【図３】
2009082258.tif 000005
【図４】
2009082258.tif 000006
【図５】
2009082258.tif 000007
【図６】
2009082258.tif 000008
【図７】
2009082258.tif 000009
【図８】
2009082258.tif 000010
【図９】
2009082258.tif 000011
【図１０】
2009082258.tif 000012
【図１１】
2009082258.tif 000013
【図１２】
2009082258.tif 000014